(57)【要約】【課題】色補正に関する高度な知識や高機能なアプリケーションを不要とする個別色印刷の為の画像処理装置及び画像処理方法の提供を目的とする。【解決手段】画像処理装置（２０）は、個別の色変換を必要とする入力画像の色指定情報とその変換色情報の対を記憶する個別色管理テーブル（２２０）をユーザ毎に管理するユーザ別管理情報（２４０）と、個別色印の実施／未実施、及び決定した個別色管理テーブル（２２０）の情報個別色印刷設定情報（２１０）で記憶・管理し、入力画像を個別色印刷設定情報（２１０）及び個別色管理テーブル（２２０）を参照して個別色印刷での色変換処理を行う。【選択図】　図２
2004112181.tif 000002
【特許請求の範囲】
【請求項１】
入力画像を出力画像の色表現形式に応じて色変換を行う画像処理装置において、
特定の色指定情報と前記出力画像の色表現形式に応じた個別色変換情報とを対応して記憶管理する個別色管理手段と、
前記入力画像の色変換に際して、該入力画像に前記個別色管理手段で記憶管理されている色指定情報が含まれている場合は、該色指定情報に対応する画像領域の画像を前記個別色管理手段に記憶管理されている個別色変換情報に基づいて個別に色変換を行う色変換手段と
を具備することを特徴とする画像処理装置。
【請求項２】
前記入力画像は、
特定の画像領域に対応して色指定情報を含み、
前記色変換手段は、
前記入力画像から前記色指定情報を抽出する抽出手段と、
前記抽出手段で抽出した色指定情報に対応する画像領域の画像を前記個別色管理手段に記憶されている個別色変換情報に基づいて個別に色変換を行う
ことを特徴とする請求項１記載の画像処理装置。
【請求項３】
前記個別色管理手段は、
前記特定の色指定情報と前記出力画像の色表現形式に応じた個別色変換情報とを対応して予め記憶する個別色変換情報テーブルを有し、
前記特定の色指定情報に対応する画像領域の画像を前記個別色変換情報テーブルを参照して個別に色変換を行う
ことを特徴とする請求項１記載の画像処理装置。
【請求項４】
前記個別色変換情報テーブルは、
ネットワークを介して外部装置から取得する
ことを特徴とする請求項３記載の画像処理装置。
【請求項５】
前記個別色変換情報テーブルは、
記憶媒体を介して取得する
ことを特徴とする請求項３記載の画像処理装置。
【請求項６】
前記個別色変換情報テーブルは、
前記入力画像の印刷を要求するユーザ毎、前記入力画像の画像種別毎、入力画像の編集および印刷を行うプログラム種別毎に記憶管理する
ことを特徴とする請求項３記載の画像処理装置。
【請求項７】
入力画像を出力画像の色表現形式に応じて色変換を行う画像処理方法において、
特定の色指定情報と前記出力画像の色表現形式に応じた個別色変換情報とを対応して予め記憶管理し、
前記入力画像の色変換に際して、該記憶管理されている色指定情報が含まれている場合は、該色指定情報に対応する画像領域の画像を該記憶管理されている個別色変換情報に基づいて個別に色変換を行う
ことを特徴とする画像処理方法。
【請求項８】
前記入力画像は、
特定の画像領域に対応して色指定情報を含み、
前記入力画像の色変換に際して、前記入力画像から前記色指定情報を抽出し、
該抽出した色指定情報に対応する画像領域の画像を前記記憶されている個別色変換情報に基づいて個別に色変換を行う
ことを特徴とする請求項７記載の画像処理方法。
【請求項９】
前記特定の色指定情報と前記出力画像の色表現形式に応じた個別色変換情報とを対応して予め記憶する個別色変換情報テーブルを有し、
前記特定の色指定情報に対応する画像領域の画像を前記個別色変換情報テーブルを参照して個別に色変換を行う
ことを特徴とする請求項７記載の画像処理方法。
【請求項１０】
前記個別色変換情報テーブルは、
ネットワークを介して外部装置から取得する
ことを特徴とする請求項９記載の画像処理方法。
【請求項１１】
前記個別色変換情報テーブルは、
記憶媒体を介して取得する
ことを特徴とする請求項９記載の画像処理方法。
【請求項１２】
前記個別色変換情報テーブルは、
前記入力画像の印刷を要求するユーザ毎、前記入力画像の画像種別毎、入力画像の編集および印刷を行うプログラム種別毎に記憶管理する
ことを特徴とする請求項９記載の画像処理方法。
【請求項１３】
特定の色指定情報と出力画像の色表現形式に応じた個別色変換情報とを対応して予め記憶管理し、入力画像を出力画像の色表現形式に応じて個別の色変換を行う画像処理プログラムにおいて、
印刷ジョブ発生時に該個別の色変換の要否をユーザに問合わせる問合わせステップと、
該問い合わせスッテプでユーザからの応答を解析する応答解析ステップと、
該応答解析ステップで該個別の色変換を実施すると判断した場合、該印刷ジョブで指定される色指定情報が個別色変換情報への存在を確認する個別色変換情報確認ステップと、
該個別色変換情報確認ステップで該色指定情報が存在する場合、該個別色変換情報に基づき個別の色変換を行う個別色変換ステップと
を有することを特徴とする画像処理プログラム。
【請求項１４】
前記個別色変換情報は、管理種別毎に管理され、
前記応答解析スッテプは、
前記印刷ジョブから取得した該管理種別で使用する前記個別色変換情報を特定する管理個別色変換情報特定ステップをさらに具備する
ことを特徴とする請求項１３記載の画像処理プログラム。
【請求項１５】
前記管理種別は、
前記入力画像の印刷を要求するユーザ種別、前記入力画像の画像種別、入力画像の編集および印刷を行うプログラム種別のいずれかを含む
ことを特徴とする請求項１３記載の画像処理プログラム。
【発明の詳細な説明】
【０００１】
【発明の属する技術分野】
本発明は、画像処理装置における色変換処理に関し、入力画像の色をユーザの所望する色に変換した出力画像を得る為の画像処理装置及び画像処理方法に関する。
【０００２】
【従来の技術】
画像処理装置において、入力画像の色変換による変換色をユーザの所望により、自由に設定・管理する為の従来技術としては、特許文献１記載の「画像処理装置及び方法」がある。
【０００３】
この発明は、入力画像で指定される色番号とユーザが所望する変換色の対応をカラーパッチと称するユーザインタフェースを使用してＲＡＭに生成される管理用テーブルに記憶し、原稿画像の特定の色に対し特別の色変換が必要な場合、前述のカラーパッチを指定することで原稿画像の色の一部を所望とする出力画像を生成する為の画像処理装置及び方法に関するものである。
【０００４】
【特許文献１】
特開平０８−２９８６５６号公報。
【０００５】
【発明が解決しようとする課題】
コーポレートカラーを含む画像や、画像の特定の色をユーザ所望の色へ変換したい場合、ユーザは、ＤＴＰ系アプリケーションなどの高度な機能を持つ画像処理アプリケーションを使用して色データを調整したり、プリンタ内部の色変換テーブルを直接カスタマイズしたりする等、高度な知識と高機能な画像処理アプリケーションが必要となる。
【０００６】
また、上記従来技術においても、カラーパッチによる変換色の指定作業が印刷原稿の変更の都度発生し、複雑な色への変換を行う場合には、色補正に関する高度な知識が要求される等の問題がある。
【０００７】
本発明は、色補正に関する高度な知識や高機能なアプリケーションを持たないユーザでも簡単な操作で個別色印刷が可能な画像処理装置及び画像処理方法の提供を目的とする。
【０００８】
【課題を解決するための手段】
上記問題を解決する為に、請求項１の発明は、入力画像を出力画像の色表現形式に応じて色変換を行う画像処理装置であり、特定の色指定情報と出力画像の色表現形式に応じた個別色変換情報とを対応して記憶管理する個別色管理手段と、入力画像の色変換に際して、入力画像に個別色管理手段で記憶管理されている色指定情報が含まれている場合は、色指定情報に対応する画像領域の画像を個別色管理手段に記憶管理されている個別色変換情報に基づいて個別に色変換を行う色変換手段とを具備することを特徴とする。
【０００９】
また、請求項２の発明は、請求項１の発明において、特定の画像領域に対応して色指定情報を含み、色変換手段は、入力画像から色指定情報を抽出する抽出手段と、抽出手段で抽出した色指定情報に対応する画像領域の画像を個別色管理手段に記憶されている個別色変換情報に基づいて個別に色変換を行うことを特徴とする。
【００１０】
また、請求項３の発明は、請求項１の発明における個別色管理手段は、特定の色指定情報と出力画像の色表現形式に応じた個別色変換情報とを対応して予め記憶する個別色変換情報テーブルを有し、特定の色指定情報に対応する画像領域の画像を個別色変換情報テーブルを参照して個別に色変換を行うことを特徴とする。
【００１１】
また、請求項４の発明は、請求項３の発明において、個別色変換情報テーブルは、ネットワークを介して外部装置から取得することを特徴とする。
【００１２】
また、請求項５の発明は、請求項３の発明において、個別色変換情報テーブルは、記憶媒体を介して取得することを特徴とする。
【００１３】
また、請求項６の発明は、請求項３の発明において、ユーザ毎、入力画像の画像種別毎、入力画像の画像編集を行うプログラム毎に記憶管理することを特徴とする。
【００１４】
また、請求項７の発明は、入力画像を出力画像の色表現形式に応じて色変換を行う画像処理方法において、特定の色指定情報と出力画像の色表現形式に応じた個別色変換情報とを対応して予め記憶管理し、入力画像の色変換に際して、記憶管理されている色指定情報が含まれている場合は、色指定情報に対応する画像領域の画像を記憶管理されている個別色変換情報に基づいて個別に色変換を行うことを特徴とする。
【００１５】
また、請求項８の発明は、請求項７の発明において、入力画像は、特定の画像領域に対応して色指定情報を含み、入力画像の色変換に際して、入力画像から色指定情報を抽出し、抽出した色指定情報に対応する画像領域の画像を記憶されている個別色変換情報に基づいて個別に色変換を行うことを特徴とする。
【００１６】
また、請求項９の発明は、請求項７の発明において、特定の色指定情報と出力画像の色表現形式に応じた個別色変換情報とを対応して予め記憶する個別色変換情報テーブルを有し、特定の色指定情報に対応する画像領域の画像を個別色変換情報テーブルを参照して個別に色変換を行うことを特徴とする。
【００１７】
また、請求項１０の発明は、請求項９の発明において、個別色変換情報テーブルは、ネットワークを介して外部装置から取得することを特徴とする。
【００１８】
また、請求項１１の発明は、請求項９の発明において、個別色変換情報テーブルは、記憶媒体を介して取得することを特徴とする。
【００１９】
また、請求項１２の発明は、請求項９の発明において、個別色変換情報テーブルは、ユーザ毎、入力画像の画像種別毎、入力画像の画像編集を行うプログラム毎に記憶管理することを特徴とする。
【００２０】
また、請求項１３の発明は、特定の色指定情報と出力画像の色表現形式に応じた個別色変換情報とを対応して予め記憶管理し、入力画像を出力画像の色表現形式に応じて個別の色変換を行う画像処理プログラムにおいて、印刷ジョブ発生時に個別の色変換の要否をユーザに問合わせる問合わせステップと、問い合わせスッテプでユーザからの応答を解析する応答解析ステップと、応答解析ステップで個別の色変換を実施すると判断した場合、印刷ジョブで指定される色指定情報が個別色変換情報への存在を確認する個別色変換情報確認ステップと、個別色変換情報確認ステップで色指定情報が存在する場合、個別色変換情報に基づき個別の色変換を行う個別色変換ステップとを有することを特徴とする。
【００２１】
また、請求項１４の発明は、請求項１３の発明において、個別色変換情報は、管理種別毎に管理され、応答解析スッテプは、印刷ジョブから取得した管理種別で使用する個別色変換情報を特定する管理個別色変換情報特定ステップをさらに具備することを特徴とする。
【００２２】
また、請求項１５の発明は、請求項１３の発明において、管理種別は、入力画像の印刷を要求するユーザ種別、入力画像の画像種別、入力画像の編集および印刷を行うプログラム種別のいずれかを含むことを特徴とする。
【００２３】
【発明の実施の形態】
以下、本発明の画像処理装置及び画像処理方法による個別色印刷の実施の形態を添付図面を参照して詳細に説明する。
【００２４】
図１は、本発明の画像処理装置を含む印刷システムの構成図である。
【００２５】
本システムは、原稿画像の取り込みや編集操作の為のスキャナ１１、デジタルビデオカメラ１２、デジタルカメラ１３、マウス１４、キーボード１５等の入力装置１０と、入力画像の編集、解像度の変換、色変換、階調数補正、インタレース処理等を経て、プリンタ等の画像形成装置３０へ出力画像を出力する画像処理装置２０と、画像処理装置２０から受け取ったデータを基に印刷を行う画像形成装置３０とにより構成される。
【００２６】
また、画像処理装置２０は、画像処理装置２０全体を制御するＣＰＵ２３と、入力装置１０と接続してデータの授受を制御する入力インタフェース２１と、アプリケーションプログラムが記憶されるＲＯＭ２７と、画像処理中の一時的なデータや色変換の為のテーブル等を記憶するＲＡＭ２８と、通信機能によりインターネット６０を介してサーバ７０とネットワーク接続する通信インタフェース２９と、外部記憶装置４０と接続してデータ入力を行う外部装置インタフェース２４と、モニタ５０への画像データを作成し表示制御を行うディスプレイコントローラ２２と、画像形成装置３０への出力データ制御を行う出力インタフェース２５とにより構成される。
【００２７】
また、画像形成装置３０は、画像形成装置３０全体を制御するＣＰＵ３２と、画像処理装置２０からの画像データを取り込む入力インタフェース３１と、受信画像データを印刷処理するプログラムや設定情報等を記憶するＲＯＭ３４と、印刷処理中の一時的なデータを記憶するＲＡＭ３５と、画像形成装置３０をユーザが操作する為の入力操作部３７−１及び表示部３７−２を有するフロントパネル３７との入出力制御を行うフロントパネルインタフェース３３とにより構成される。
【００２８】
次に、画像処理装置２０の画像処理アプリケーションが印刷要求してから画像形成装置３０に印刷用画像データを出力するまでの画像処理ルーチンについて説明する。
【００２９】
図２は、画像処理装置２０における画像処理ルーチンの処理ステップを示したフローチャートである。
【００３０】
画像処理アプリケーションからの印刷要求が発生して画像処理ルーチンが起動されると、個別色補正確認処理Ｓ１０１が、個別色印刷に関する各種設定項目を確認する為の確認画面を表示する。
【００３１】
例えば、図３に示す確認画面３１０が表示モニタ５０に表示され、ユーザが、印刷モード（個別色印刷３２１、標準印刷３２２のいずれか）を選択してから印刷処理に移行する。
【００３２】
確認画面３１０でユーザが印刷ボタン３５０を押下すると、個別色補正確認処理Ｓ１０１は、確認画面３１０での入力情報、印刷モードを解析し、印刷ジョブから印刷要求をしたユーザＩＤでユーザ別管理情報２４０を参照し、使用する個別色管理テーブル２２０を決定して印刷処理に必要な情報を個別色印刷設定情報２１０に登録する。
【００３３】
続いて、画像領域分割処理Ｓ１０２は、図７に示すような画像６００に対し、イメージ領域６０１、グラフィック領域６０２、テキスト領域６０３に分割すると共に各領域に指定された色情報を抽出する。
【００３４】
次に、解像度変換処理Ｓ１０３は、印刷時の解像度と、入力画像の解像度との違いを吸収し、印刷時の解像度に合わせて画像データを変換する。
【００３５】
色変換処理Ｓ１０４では、個別色印刷設定情報２１０、個別色管理テーブル２２０、色変換テーブル２３０を参照し、入力画像の色表現形式（ＲＧＢ）を印刷用の色表現形式（ＣＭＹＫ値等）に変換する。
【００３６】
階調数補正処理Ｓ１０５は、色変換処理Ｓ１０４から色変換済みの画像データ内の各色の階調数を印刷処理の階調数に合わせて補正を行う。
【００３７】
インタレース処理Ｓ１０６は、画像形成装置３０で使用するＣ・Ｍ・Ｙ・Ｋ各色によるドット形成の有無に変換された画像データを、画像形成装置３０の印刷処理での色の並びに合わせてデータの並べ替えを行う。
【００３８】
データ出力処理Ｓ１０７は、上記各処理を経て作成された印刷用画像データを画像形成装置３０に出力する。
【００３９】
次に、個別色管理テーブル２２０およびユーザ別管理情報２４０のデータ構造について説明する。
【００４０】
図４は、個別色管理テーブル２２０のデータ構造の例を示した図である。
【００４１】
個別色管理テーブル２２０の項目は、入力画像の色指定情報に相当する色補正対象色情報４０１と、色変換処理Ｓ１０４（図２）で色変換される変換色となるプリンタ出力値４０４とが対となり構成される。
【００４２】
色補正対象色情報（ＲＧＢ形式）４０１に設定される色の表現形式は、これ以外に、色補正対象色情報（ＣＭＹＫ形式）４０２、色補正対象色情報（色名）４０３、アプリケーションで取り扱う画像データの色表現形式に合わせた複数の形式を持つことが可能である。
【００４３】
項目の設定例として、例えば、図７の画像６００のテキスト領域６０３が商標により色の厳密な管理を必要とする場合、アプリケーションでは画像６００のテキスト領域６０３の指定色を暫定的に「深緑Ａ」という色名で編集し、印刷時の変換色つまり商標で使用する個別色が「Ｃ＝１１、Ｍ＝２２、Ｙ＝４４、Ｋ＝５５」で指定されている場合、個別色管理テーブル２２０の登録データは、図４（ｃ）の「ＩＤ＝００００００２２」の設定となる。
【００４４】
また、個別色管理テーブル２２０は、ユーザ毎のテーブルを生成して管理され、色変換処理Ｓ１０４（図２）では印刷要求をしたユーザＩＤをもとに個別色管理テーブルを特定して色補正を行う。
【００４５】
プリンタ出力色値４０４のデータ形式は、ＣＭＹＫ以外の色表現にし、画像処理装置２０が取り扱う標準の色変換テーブル以外に別の色表現テーブルを参照する為のインデックスを登録して使用することも可能である。
【００４６】
図５は、ユーザ別管理情報２４０の構造例を示した図である。
【００４７】
ユーザ別管理情報２４０は、個別色管理テーブル２２０を使用するユーザ毎に管理して参照する為のテーブルである。
【００４８】
ユーザ別管理情報２４０のデータ項目は、ユーザＩＤ、ユーザ名称、対応する個別色管理テーブルＩＤで構成される。
【００４９】
ユーザＩＤは、画像処理装置２０で個別色印刷を行うユーザを番号で管理する為のインデックスで、ユーザ名称はその名称を設定する。
【００５０】
対応個別色管理テーブルＩＤは、複数ある個別色管理テーブル２２０からユーザに割り当てられたテーブルを特定する為の番号が設定される。
【００５１】
次に、図２に示した画像処理ルーチンのサブルーチンである個別色補正確認処理Ｓ１０１について詳細に説明する。
【００５２】
図６は、個別色補正確認処理Ｓ１０１（図２）の詳細な処理ステップを示したフローチャートである。
【００５３】
確認画面表示処理Ｓ２０１は、個別色印刷に関する確認画面３１０（図３）をモニタ５０に表示する。
【００５４】
処理区分判定処理Ｓ２０２は、ユーザが確認画面３１０（図３）で選択したコマンドボタン（印刷ボタン３５０（図３）、詳細設定ボタン３４０（図３）等）や入力データを解析し、印刷処理か詳細設定かを判断する。
【００５５】
ユーザが、処理区分判定処理Ｓ２０２で詳細設定（詳細設定ボタン３４０（図３）を選択した）と判断した場合、個別色管理テーブルメンテナンス処理を行う（Ｓ２１０）。
【００５６】
一方、処理区分判定処理Ｓ２０２で印刷（印刷ボタン３５０（図３）や標準印刷３２２（図３）が指定された）と判断した場合、印刷ジョブからユーザＩＤを取得する（Ｓ２０４）。
【００５７】
そして、取得したユーザＩＤから個別色管理テーブルを決定する（Ｓ２０５）。
【００５８】
決定した個別色管理テーブルの存在を確認し、存在しない場合（Ｓ２０６でＮＯ）は、標準印刷で処理するための情報をを個別色印刷設定情報２１０に設定する（Ｓ２１１）。
【００５９】
一方、決定した個別色管理テーブル２２０が存在する場合（Ｓ２０６でＹＥＳ）、印刷ジョブから画像領域毎の色指定情報を取得し（Ｓ２０７）、指定された色が個別色管理テーブル２２０に存在するかを確認する（Ｓ２０８）。
【００６０】
指定色が個別色管理テーブル２２０に登録されていない場合は（Ｓ２０８でＮＯ）、標準印刷で処理するための情報を個別色印刷情報に設定する（Ｓ２１１）。
【００６１】
指定色が個別色管理テーブル２２０に登録されている場合（Ｓ２０８でＹＥＳ）は、決定した個別色管理テーブル２２０の情報を個別色印刷設定情報２１０に登録する（Ｓ２０９）。
次に、図６の個別色管理テーブルメンテナンス処理Ｓ２１０の詳細を図８の画面イメージ及び、図９のフローチャートを参照して説明する。
【００６２】
個別色管理テーブル２２０のメンテナンスルーチンが起動されると、メンテナンス画面表示処理Ｓ３０１で、個別色管理テーブル２２０を補修する為のメンテナンス画面７００（図８）を表示する。
【００６３】
ここで、図８に示すメンテナンス画面７００は、コマンドボタンである登録ボタン７０１、削除ボタン７０２と、個別色管理テーブル２２０の指定及び表示部７０３と、メンテナンス対象となる個別色管理テーブル２２０の詳細情報の表示／入力欄として補正対象色情報７０５と、プリンタ出力色値７０６とで構成される。
【００６４】
ユーザが、メンテナンス画面７００で、色補正対象色情報７０５、プリンタ出力値７０６等のデータ入力実施後、登録ボタン７０１あるいは削除ボタン７０２等のコマンドボタンを押下すると、画面入力情報解析Ｓ３０２は、コマンド種別と、入力データの抽出を行う。
【００６５】
続いて図９のフローチャートに戻り、処理区分判定Ｓ３０３は、処理区分（登録・削除）の判定を行い、登録の場合Ｓ３０４の処理を行い、削除の場合はＳ３０８の処理を行う。
【００６６】
処理Ｓ３０４では、メンテナンス画面での登録処理で入力データが新規追加レコードか、既存レコードの修正かを判断する。
【００６７】
その結果、既存レコードの場合（Ｓ３０４でＮＯ）は、レコードの更新処理Ｓ３０７を行い、新規レコードの場合（Ｓ３０４でＹＥＳ）はレコードの追加処理Ｓ３０５を行う。
【００６８】
また、処理区分判定処理Ｓ３０３で削除処理と判断された場合、レコード削除処理Ｓ３０８は、メンテナンス画面７００で指定されたレコードをテーブルから削除する。
【００６９】
そして、メンテナンス画面７００の再表示処理Ｓ３０６で、メンテナンス後の個別色管理テーブル２２０の内容を画面に再表示する。
【００７０】
なお、図９の処理フローは該当レコードが一つの例を記述しているが、処理対象レコードが複数ある場合には、Ｓ３０４、Ｓ３０５、Ｓ３０７及びＳ３０８の処理は全レコード分繰り返す処理となる。
【００７１】
また、メンテナンスルーチンは、専用のメンテナンスプログラムから起動される構成としてもよい。
【００７２】
また、ユーザがメンテナンス可能な範囲をユーザＩＤ毎に制限し、逆に、管理者は全体をメンテナンス出来るようにしてもよい。
【００７３】
次に、図１に示す外部記憶装置４０、記憶媒体４１、インターネット６０経由でのサーバ７０のファイル７１等に記憶される個別色管理テーブルを取り込み（以後インポートと称す）、逆に外部装置に個別色管理テーブルを排出（以後エクスポートと称す）するメンテナンス処理について説明する。
【００７４】
図１１は、個別色管理テーブル２２０の外部入出力の処理手順を示すフローチャートであり、図１０（ａ）、図１０（ｂ）、図１０（ｃ）は、個別色管理テーブル２２０のインポート／エクスポート処理に関する操作メニューの概念図である。
【００７５】
インポート／エクスポート処理を行う個別色管理テーブルの外部入出力ルーチンは、図３の確認画面表示処理Ｓ２０１で出力する確認画面３１０から呼出したり、専用のメンテナンスツールから起動される。
【００７６】
個別色管理テーブルメンテナンス処理が起動されると、インポート／エクスポート選択画面表示Ｓ４０１は、選択画面（図１０（ａ））をモニタ５０に表示してインポート／エクスポートのいずれの処理を行うかをユーザに問合わせる。
【００７７】
そして、処理区分解析処理Ｓ４０２で、インポート／エクスポートのいずれが指定されたかを判定する。
【００７８】
処理区分がインポートの場合は、リソース検出処理Ｓ４０３で使用可能なすべてのリソース一覧（図１０（ｃ））を表示する。
【００７９】
そして、ユーザが所望のリソースを指定すると、リソース内の個別色管理テーブルを検索処理Ｓ４０４で、個別色管理テーブルの一覧（図１０（ｂ））を表示する。
【００８０】
ユーザが、インポートを希望する個別色管理テーブルを指定すると、インポート処理Ｓ４０５は、ＲＡＭ２８にすでに生成されている既存の個別色管理テーブルをユーザが指定したリソース内の個別色管理テーブルで上書きを行う。
【００８１】
一方、処理区分解析Ｓ４０２で処理区分がエクスポートの場合は、個別色管理テーブルの一覧表示Ｓ４０６で、ＲＡＭ２８に生成済みの個別色管理テーブルの名称の一覧（図１０（ｂ））を画面に表示する。
【００８２】
ユーザがリソースへの排出を希望するテーブル名を指定すると、次にリソース検索処理Ｓ４０６で、エクスポートが可能なリソースの一覧図１０（ｃ）を画面表示する。
【００８３】
ユーザが、エクスポート対象のリソースを画面で指定すると、エクスポート処理Ｓ４０８は、個別色管理テーブルを指定されたリソースへコピーする。
【００８４】
このインポート機能を使用することで、ユーザは、画像処理装置２０以外の装置で作成した個別色管理テーブルを媒体あるいはネットワークを介して取り込み、自装置でのカスタマイズ作業無しで、即時に個別色印刷が可能となる。
【００８５】
また、エクスポート機能により、媒体あるいはネットワークを介して同機種の他装置で個別色管理テーブルを共有することが可能となる。
【００８６】
以上、本発明の実施形態の一例について説明したが、上記以外のいくつかの変形例について説明する。
【００８７】
個別色管理テーブル２２０及び個別色印刷設定情報２１０は、画像処理装置２０のＲＡＭ２８で生成・管理される以外に、外部記憶装置４０や、画像形成装置３０のＲＡＭ３５に生成・管理され、図２の個別色補正確認処理Ｓ１０１や色変換処理Ｓ１０４、さらには、図１０の個別色管理テーブルメンテナンス処理Ｓ２０９が処理可能な構成にすることも可能である。
【００８８】
このとき、図３の個別色印刷のモード設定３２０や、画像領域別の設定３３０、さらには、図８のメンテナンス画面７００や、図１０（ａ）、図１０（ｂ）、図１０（ｃ）のインポート／エクスポートに関するメニュー画面を、図１の画像形成装置３０のフロントパネル３７での出力部３７−２に表示したり、或いは、画像処理装置２０のモニタ５０にＷＥＢページで表示したりしてユーザが操作できる構成にするることも可能である。
【００８９】
また、図２に示した個別色管理テーブルは、ユーザ別管理情報により、ユーザＩＤ毎に管理する構成としたが、例えば、印刷ジョブに指定されるデータ種別毎あるいは、印刷ジョブを要求した画像処理アプリケーション種別毎に色変換情報を管理することも可能である。
【００９０】
図１２は、個別色管理テーブルを入力画像のデータ種別（画像ファイルの識別子）毎、使用する画像処理アプリケーション（画像編集および印刷行うＤＴＰソフト等の）毎に管理する時のメンテナンス画面の例を示すユーザインタフェースである。
【００９１】
また、図１３は、個別色管理テーブル２２０をデータ種別毎、アプリケーション毎に管理するために必要な管理情報の例を示した図である。
【００９２】
個別色管理テーブルを印刷ジョブで指定されたデータ種別毎で管理する場合、図１３（ｂ）のような構成をもつデータ種別毎管理情報を追加し、印刷ジョブで指定される時のデータ種別ＩＤ毎に、データ種別名称や、対応する個別色管理テーブルのテーブルＩＤを登録する。
【００９３】
印刷処理実施時には、図２の個別色補正確認処理Ｓ１０１でデータ種別ＩＤを基にデータ種別毎管理情報を介して個別色管理テーブルを参照する構成にする。
【００９４】
さらに、図１２（ａ）のようなユーザインタフェースを持つメンテナンス処理を追加し、専用のプログラムメニューあるいは、図３の確認画面（３１０）に起動ボタンを追加して個別色管理テーブル２２０をデータ種別毎に管理する構成にしてもよい。
【００９５】
同様に、個別色管理テーブルを印刷ジョブで指定されたアプリケーション種別毎で管理する場合、図１３（ａ）のような構成をもつアプリケーション種別毎管理情報を追加し、印刷ジョブで指定される時のアプリケーションＩＤ毎に、アプリケーション名称や、対応する個別色管理テーブルのテーブルＩＤを登録する。
【００９６】
印刷処理実施時には、図２の個別色補正確認処理Ｓ１０１でアプリケーションＩＤを基にデータ種別毎管理情報を介して個別色管理テーブルを参照する構成にしてもよい。
【００９７】
さらに、図１２（ｂ）のようなユーザインタフェースを持つメンテナンス処理を追加し、専用のプログラムメニューあるいは、図３の確認画面（３１０）に起動ボタンを追加し、個別色管理テーブル２２０をアプリケーションＩＤ毎に管理する構成にしてもよい。
【００９８】
また、個別色管理テーブル２２０をユーザＩＤ、データ種別ＩＤ、アプリケーションＩＤのいずれか一つで独立して管理する以外に、いずれかを組合せ、なおかつ各ＩＤ間の関連付けおよび優先順位を管理するテーブルを追加して管理する構成にしてもよい。
【００９９】
【発明の効果】
本発明の画像処理装置及び画像処理方法を適用することで以下の効果を得ることができる。
【０１００】
１）ユーザは、個別色印刷、標準印刷の切替えを印刷時に指定でき、必要であれば個別色印刷に関する設定を確認・修正して印刷処理に移行できる為、柔軟な印刷作業が可能となる。
【０１０１】
２）一度作成した個別色管理テーブルの他の同機種への供給は、エクスポート・インポート機能で可能となり、個別色管理テーブルの再利用やカスタマイズ作業の低減が図れる。
【０１０２】
３）アプリケーションで実施していた高度な色設定は、暫定色と所望する変換色が個別色管理テーブルに登録することで不要となり、高度な色変換の知識や高機能なアプリケーションを有さないユーザでも、暫定色での画像編集と個別色印刷のオプション操作のみで個別色印刷が可能となる。
【図面の簡単な説明】
【図１】本発明に係る画像処理装置を含む印刷システムの構成図。
【図２】画像処理装置の画像処理ルーチンの処理手順を示すフローチャート。
【図３】個別色印刷における処理確認画面の概念図。
【図４】個別色管理テーブルのデータ項目及びデータ例を示す構成図。
【図５】ユーザ別管理情報のデータ項目及びデータ例を示す構成図。
【図６】個別色補正確認処理の処理手順を示すフローチャート。
【図７】テキスト領域、イメージ領域、グラフィック領域で構成された画像の例を示す概念図。
【図８】個別色管理テーブルのメンテナンス画面の概念図。
【図９】個別色管理テーブルのメンテナンスルーチンの処理手順を示すフローチャート。
【図１０】個別色管理テーブルの外部入出力の為のメニュー画面の例を示す概念図。
【図１１】個別色管理テーブルの外部入出力の処理手順を示すフローチャート。
【図１２】個別色管理テーブルを画像種別毎、画像処理アプリケーション毎に管理する時のメンテナンス画面の例を示すユーザインタフェース。
【図１３】個別色管理テーブルを画像種別毎、画像処理アプリケーション毎に管理する為の管理情報の例を示す構成図。
【符号の説明】
１０　　入力装置
１１　　スキャナ
１２　　デジタルビデオカメラ
１３　　デジタルカメラ
１４　　マウス
１５　　キーボード
２０　　画像処理装置
２１　　入力インタフェース
２２　　ディスプレイコントローラ
２３　　ＣＰＵ
２４　　外部装置インタフェース
２５　　出力インタフェース
２７　　ＲＯＭ
２８　　ＲＡＭ
２９　　通信インタフェース
３０　　画像形成装置
３１　　入力インタフェース
３２　　ＣＰＵ
３３　　フロントパネルインタフェース
３４　　ＲＯＭ
３５　　ＲＡＭ
３６　　印刷処理部
３７　　フロントパネル
３７−１　　入力操作部
３７−２　　表示部
４０　　外部記憶装置
４１　　記憶媒体
５０　　モニタ
６０　　インターネット
７０　　サーバ
７１　　ファイル
２１０　　個別色印刷設定情報
２２０　　個別色管理テーブル
２３０　　色変換テーブル
２４０　　ユーザ別管理情報
３１０　　確認画面
３２０　　印刷モード選択部
３２１　　個別色印刷
３２２　　標準印刷
３４０　　詳細設定ボタン
３５０　　印刷ボタン
４０１　　色補正対象色情報（ＲＧＢ形式）
４０２　　色補正対象色情報（ＣＭＹＫ）
４０３　　色補正対象色情報（色名）
４０４　　プリンタ出力色値（ＣＭＹＫ）
６００　　画像
６０１　　イメージ領域
６０２　　グラフィック領域
６０３　　テキスト領域
７００　　メンテナンス画面
７０１　　登録ボタン
７０２　　削除ボタン
７０３　　処理対象テーブル名表示・選択欄
７０５　　色補正対象色欄
７０６　　プリンタ出力値欄
【図１】
2004112181.tif 000003
【図２】
2004112181.tif 000004
【図３】
2004112181.tif 000005
【図４】
2004112181.tif 000006
【図５】
2004112181.tif 000007
【図６】
2004112181.tif 000008
【図７】
2004112181.tif 000009
【図８】
2004112181.tif 000010
【図９】
2004112181.tif 000011
【図１０】
2004112181.tif 000012
【図１１】
2004112181.tif 000013
【図１２】
2004112181.tif 000014
【図１３】
2004112181.tif 000015